(57)【要約】      （修正有）【課題】デンタルフロスの交換、及び、張り強度の調整を容易に行うことができ、かつ、一回当たりに使用する長さを短くすることが可能なデンタルフロスの取付け構造を有するデンタルフロスホルダを提供する。【解決手段】張設部２０とツマミ部３０とからなるデンタルフロスホルダ１０であって、張設部は、略逆U字状で、略逆U字状の開放部にデンタルフロスＦを張設し、その張設部にデンタルフロスを案内する外部案内溝２１を備え、ツマミ部は、張設部から延設された第一ツマミ部材３１と、第一ツマミ部材と開閉自在に連接された第二ツマミ部材３５とからなり、第一ツマミ部材の第二ツマミ部材に対向する対向面は、デンタルフロスを案内する複数の凹部３２とともに内部案内溝３３を形成され、第二ツマミ部材の第一ツマミ部材に対向する対向面は、複数の凸部３６を有し、凹部と凸部が嵌合してデンタルフロスの両側を挟持せしめることを特徴とするものである。【選択図】図１
2017202074.tif 000002
【特許請求の範囲】
【請求項１】
張設部とツマミ部とからなるデンタルフロスホルダであって、前記張設部は、略逆U字状で、該略逆U字状の一端である折返端と他方の端部との間の開放部にデンタルフロスを張設し、前記開放部の上部である取付部にデンタルフロスを案内する外部案内溝を備え、前記ツマミ部は、前記張設部から延設された第一ツマミ部材と、前記第一ツマミ部材と開閉自在に連接された第二ツマミ部材と、からなり、前記第一ツマミ部材の前記第二ツマミ部材に対向する対向面は、デンタルフロスを案内する内部案内溝が複数の凹部とともに形成され、前記第二部材の前記第一ツマミ部材に対向する対向面は、複数の凸部を有し、前記凹部と前記凸部とが嵌合してデンタルフロスを挟持せしめること、を特徴とするデンタルフロスホルダ。
【請求項２】
内部案内溝は、外部案内溝の端部と接続し、その端部から第一ツマミ部材中央方向に傾斜して溝が形成されることを特徴とする請求項１記載のデンタルフロスホルダ。
【請求項３】
凸部は突出片を有し、凹部は前記突出片と係合する段部を有すること、を特徴とする請求項１記載のデンタルフロスホルダ。
【請求項４】
内部案内溝は、連接部近傍にデンタルフロスを掛止する程度の幅の間隙を有することを特徴とする請求項１又は２のいずれか一項に記載のデンタルフロスホルダ。
【発明の詳細な説明】
【技術分野】
【０００１】
本発明は、歯科衛生のための歯間清掃具であって、歯間の歯垢や食片を除去する細い糸状のデンタルフロスを取付けるデンタルフロスホルダに関する。
【背景技術】
【０００２】
デンタルフロスとは、歯ブラシでは取り除くことができない歯間の歯垢や食片を清掃する細い糸状のものであり、その使用方法として、約４０ｃｍ程度のデンタルフロスを両手の指に巻きつけ、その他の部分を歯間で上下に滑らせながら動かすことで歯間の歯垢や食片を除去するものである。
【０００３】
また、デンタルフロスを取付けて片手で使用するための種々のデンタルフロスホルダがあり、例えば、デンタルフロスホルダの柄部にデンタルフロス収納部を有し、その収納部内に糸巻き部を備えることで、デンタルフロスの収納、交換、及び、デンタルフロスの張り強度を調整できるものなど（例えば、特許文献１〜３参照）、また、単にデンタルフロスホルダのデンタルフロスを張設する張設部近傍に巻きつけ得る又は結び付け得る構造を有し、デンタルフロスを取り換え可能なデンタルフロスホルダが提案されている（例えば、特許文献４、５参照）。
【先行技術文献】
【特許文献】
【０００４】
【特許文献１】特開平１−２２７７５２号公報（特許第２６４５３５３号公報）
【特許文献２】実開平６−５８９２３号公報（実用新案登録第２５７１７１２号公報）
【特許文献３】特開平７−２７５２７０号公報
【特許文献４】実開昭６２−２１３１５号公報
【特許文献５】登録実用新案第３１０８７８１号公報
【発明の概要】
【発明が解決しようとする課題】
【０００５】
しかしながら、特許文献１〜３記載のデンタルフロスホルダは、デンタルフロスを収納する収納部が大きいために張設部近傍に備えることができず、柄などの張設部から離れた位置に備えられており、収納部から張設部までデンタルフロスを引き出して使用することでその分のデンタルフロスを無駄にしてしまうとともに歯間清掃時に取り回ししづらく、また、予め備え付けられたデンタルフロスのみを使用することしかできず、好みのデンタルフロスに交換することができない、などの欠点がある。
【０００６】
また、特許文献４、５記載のデンタルフロスホルダでは、デンタルフロスを取り替え可能であるが、デンタルフロスの取り替えや張り強度を調整する際には、再び巻き付け、又は、結び付け直さなければならず、手間がかかってしまう欠点がある。
【０００７】
したがって、デンタルフロスの交換、及び、張り強度の調整を容易に行うことができ、かつ、一回当たりに使用するデンタルフロスの長さを短くすることが可能なデンタルフロスホルダを提供することを目的とする。
【課題を解決するための手段】
【０００８】
本発明は、上記課題に鑑み、張設部とツマミ部とからなるデンタルフロスホルダであって、前記張設部は、略逆Ｕ字状で、該略逆Ｕ字状の一端である折返端と他方の端部との間の開放部にデンタルフロスを張設し、前記開放部の上部である取付部にデンタルフロスを案内する外部案内溝を備え、前記ツマミ部は、前記張設部から延設された第一ツマミ部材と、前記第一ツマミ部材と開閉自在に連接された第二ツマミ部材と、からなり、前記第一ツマミ部材の前記第二ツマミ部材に対向する対向面は、デンタルフロスを案内する内部案内溝が複数の凹部とともに形成され、前記第二部材の前記第一ツマミ部材に対向する対向面は、複数の凸部を有し、前記凹部と前記凸部とが嵌合してデンタルフロスを挟持せしめること、を特徴とするデンタルフロスホルダである。
【０００９】
また、上述した構成に加え、内部案内溝は、外部案内溝の端部と接続し、第一ツマミ部材中央方向に傾斜して溝が形成されることが好ましい。
【００１０】
また、上述した構成に加え、凸部は突出片を有し、凹部は前記突出片と係合する段部を有することが好ましい。
【００１１】
また、上述した構成に加え、内部案内溝は、連接部近傍にデンタルフロスを掛止する程度の幅の間隙を有することが好ましい。
【発明の効果】
【００１２】
請求項１記載の発明によれば、デンタルフロスを外部案内溝及び内部案内溝に取付け、ツマミ部を指で保持すると同時に、第一ツマミ部材と第二ツマミ部材との間でデンタルフロスを挟持することで、従来の巻き付けや結び付けることをせずにデンタルフロスを張設することができ、かつ、デンタルフロスの交換及び張り強度の調整の際には、デンタルフロスの両端付近を操作することで手を汚さずに容易に行うことが可能である。
【００１３】
請求項２記載の発明によれば、第一ツマミ部材及び第二ツマミ部材とデンタルフロスとの接触する幅を大きくさせるとともに、ツマミ部をつまむ際に最も強く押圧される第一ツマミ部材中央付近に挟持することで、小さな力で効率よくデンタルフロスを強く張設することが可能である。
【００１４】
請求項３記載の発明によれば、ツマミ部を閉じた状態において、凸部の突出片と凹部の段部とを係合させることで、デンタルフロスの接触する幅を大きくしてしっかりと挟持することができ、使用時の外部からの力によるデンタルフロスのズレを防ぐことが可能である。
【００１５】
請求項４記載の発明によれば、デンタルフロスを間隙に掛止させることで、ツマミ部を開いた状態において一度に必要とされる最小限の長さのデンタルフロスを所望の張力で張設しやすくすることができるとともに、ツマミ部を閉じて使用する状態においても外部からの力によるデンタルフロスのズレをより防ぐことが可能である。
【図面の簡単な説明】
【００１６】
【図１】本発明の実施形態に係るデンタルフロスホルダの一例を示す斜視図である。
【図２】図１のデンタルフロスホルダのツマミ部を閉じた状態を示す斜視図である。
【図３】図１の第一ツマミ部材を対向面側から見た図である。
【図４】図３のA−A線端面図である。
【発明を実施するための形態】
【００１７】
本発明の実施形態について図面に基づいて詳細に説明する。
【００１８】
デンタルフロスホルダ１０は、図１に示すように、張設部２０と、該張設部２０の側部から延設してなるツマミ部３０と、を主要構成部材とするものである。
【００１９】
張設部２０は、略逆Ｕ字状であり、この略逆Ｕ字状の一端である折返端２４と他方の端部２３との間の開放部にデンタルフロスＦを張設することができ、この開放部の上部である取付部２１ａにデンタルフロスＦを沿わせて取付けるための外部案内溝２１を有する。
【００２０】
ツマミ部３０は、張設部２０の後端部側から延設してなる第一ツマミ部材３１と、平板状の第二ツマミ部材３５と、第一ツマミ部材３１に対して第二ツマミ部材３５を開閉自在に連接する連接部３４と、からなるものである。
【００２１】
第一ツマミ部材３１は、第二ツマミ部材３５に対向する対向面３１ａに複数の凹部３２、３２とともに内部案内溝３３、３３が形成され、この凹部３２、３２は、後述する第二ツマミ部材３５の複数の凸部３６、３６と嵌合し得る形状である。また、凸部３６、３６と凹部３２、３２との嵌合状態において、凸部３６、３６と凹部３２、３２とが接する部分（嵌合部）に段部３９を有することが好ましい。
【００２２】
内部案内溝３３は、図１に示すように、外部案内溝２１に取付けられたデンタルフロスＦを、ツマミ部３０内部で凹部３２、３２と凸部３６、３６との嵌合により挟持するものである。より具体的には、図３に示すように、内部案内溝３３は、外部案内溝２１の両端部２２、２３と連続し、第一ツマミ部材３１の中央付近に傾斜して、連接部３４近傍まで形成される。また、内部案内溝３３は、複数の凹部３２、３２を跨って形成されており、この凹部３２、３２は、第一ツマミ部材３１の中央付近から外側面（図１の上側面、下側面）側まで貫通して開口させてもよい。また、この内部案内溝３３は、連接部３４近傍において、第一ツマミ部材３１の対向面３１ａの裏面まで貫通させ、デンタルフロスＦを掛止し得る程度の幅の間隙４０a、４０ｂを有することが好ましい。
【００２３】
第二ツマミ部材３５は、図１及び図４に示すように、第一ツマミ部材３１に対向する対向面３５ａに複数の凸部３６、３６を凹部３２、３２に嵌合し得るように位置させたものである。また、この凸部３６、３６は、凹部３２、３２の段部３９と係合するように凸状先端付近の側方（連接部３４の位置する側）に丸みを帯びた突出片３７を有することが好ましい。
【００２４】
デンタルフロスＦは、第一ツマミ部材３１の凹部３２、３２を有する内部案内溝３３と第二ツマミ部材３５の凸部３６、３６との間で、その両端部付近を挟持される。つまり、外部案内溝２１と内部案内溝３３に沿って取付けられるとともに、ツマミ部３０内では凹部３２と凸部３６の間に位置し、それらに沿った形状となるように挟持されている。
【００２５】
また、第二ツマミ部材３５の開閉動作を補助するために、第二ツマミ部材の側面側に突起３８、３８を設け、この突起３８、３８に指先を引っ掛けることで第二ツマミ部材３５の開閉動作をしやすくすることが可能である。
【００２６】
デンタルフロスホルダ１０は、歯間に挿入するためのデンタルフロスＦを張設することができ得る程度の開放部の幅（約２ｃｍ）と、ツマミ部３０は指でつまみ得る程度の平板の面積（約４平方ｃｍ）と、を有する大きさで形成することが好ましい。それによって、デンタルフロス１０に取付け得るデンタルフロスＦの長さは約１５ｃｍ程度となった。
【００２７】
次に、上述した構成のデンタルフロスホルダ１０にデンタルフロスＦを取付けて使用する方法について説明する。
【００２８】
（S1）はじめに、一度の使用時に必要とされる最小限の長さである約１５ｃｍ程度の長さのデンタルフロスＦを予め用意しておき、ツマミ部３０を開きデンタルフロスＦを張設部２０と第一ツマミ部材３１に張設する。具体的には、第一ツマミ部材３１の間隙４０aにデンタルフロスＦの一端付近を掛止し、内部案内溝３３（下方）、開放部、外部案内溝２１（取付部２１a）、内部案内溝３３（上方）、の順に案内して取り付け、間隙４０ｂにデンタルフロスＦの他端付近を掛止することによってデンタルフロスＦを所望の張力で張設する。このとき、デンタルフロスＦの両端を、内部案内溝３３の連接部３４近傍の間隙４０a、４０ｂから露出させておく。
【００２９】
（S2）次に、デンタルフロスＦの両端を適度に引っ張りながら、第二ツマミ部材３５を閉じた状態（図２）にし、指でツマミ部３０をつまんで保持することで、デンタルフロスＦの張設部２０に適度な張り強度で張設する。
【００３０】
（S3）次に、このツマミ部３０を保持した状態で、略逆Ｕ字状の開放部に張設されたデンタルフロスＦを歯間に挿入し、上下に動かすことで歯間を清掃する。
【００３１】
（S4）次に、ツマミ部３０を保持している力を弱め、デンタルフロスＦの両端の一方を引っ張ることで、汚れたデンタルフロスＦの一部をツマミ部３０側に引き込み、汚れていないデンタルフロスＦの部分を新たに略逆Ｕ字状の折返端２４と他方の端部２３との間の開放部に張設し、再び、指でツマミ部３０を保持してS２、S３の手順を繰り返すことで歯間を清掃する。
【００３２】
上述した構成から、デンタルフロスホルダ１０には、デンタルフロスＦの両端付近をツマミ部３０方向に取付けて、ツマミ部３０を指で保持するとともに、第一ツマミ部材３１と第二ツマミ部材３５とでデンタルフロスＦを挟持することで、略逆Ｕ字状の一端である折返端２４と他方の端部２３との間の開放部にデンタルフロスＦを張設することが可能であり、また、従来の巻き付けや結びつける場合に比べて、デンタルフロスＦの交換及び張り強度の調整の際には、デンタルフロスＦの両端付近を操作することで手を汚さずに容易に行うことが可能である。
【００３３】
また、張設部２０の側部から延設してなるツマミ部３０を指でつまむと同時にデンタルフロスＦを挟持することができるため、従来のデンタルフロスホルダにおけるデンタルフロスＦの取付部及び把持部に相当する部分の機能をツマミ部３０に集約することができ、従来のデンタルフロスホルダに比べて、形状をよりコンパクトにすることができ、それに伴って、一回当たりに使用するデンタルフロスＦの長さを短くすることができ、かつ、簡易な構造であるためデンタルフロスホルダ１０を容易に洗浄することが可能である。
【００３４】
また、第一ツマミ部材３１の凹部３２、３２を有する内部案内溝３３と、第二ツマミ部材３５の凸部３６、３６との間でデンタルフロスＦを挟持することで、ツマミ部３０内部とデンタルフロスＦの接触する幅を大きくさせるとともに、ツマミ部３０をつまむ際に最も強く押圧される第一ツマミ部材３１中央付近に挟持することで、小さな力で効率よくデンタルフロスＦを強く張設することが可能である。
【００３５】
さらに、上述した構成に加え、凸部３６、３６の先端側の側方に丸みを帯びた突出片３７を有し、凸部３６、３６と凹部３２、３２の嵌合部間に段部３９を形成することで、デンタルフロスＦを接触する幅をより大きくしてツマミ部３０にかかる押圧力によってデンタルフロスＦをしっかりと挟持することができ、それに伴って、使用時の外部からの力によるデンタルフロスＦのズレを防ぐことが可能である。
【００３６】
さらに、上述した構成に加え、ツマミ部３０を開いた状態において、デンタルフロスＦを間隙４０a、４０ｂに掛止させることで、一度に使用する最小限の長さのデンタルフロスＦを所望の張力で張設しやすくすることができるとともに、使用時において外部からの力によるデンタルフロスＦのズレをより防ぐことが可能である。
【符号の説明】
【００３７】
１０…デンタルフロスホルダ、２０…張設部、２１…外部案内溝、２１ａ…取付部、２２、２３…端部、２４…折返端、３０…ツマミ部、３１…第一ツマミ部材、３１ａ…対向面、３２…凹部、３３…内部案内溝、３４…連接部、３５…第二ツマミ部材、３５ａ…対向面、３６…凸部、３７…突出片、３８…突起、３９…段部、４０ａ、４０ｂ…間隙、Ｆ…デンタルフロス。
【図１】
2017202074.tif 000003
【図２】
2017202074.tif 000004
【図３】
2017202074.tif 000005
【図４】
2017202074.tif 000006
【手続補正書】
【提出日】平成28年5月11日(2016.5.11)
【手続補正１】
【補正対象書類名】特許請求の範囲
【補正対象項目名】請求項１
【補正方法】変更
【補正の内容】
【請求項１】
張設部とツマミ部とからなるデンタルフロスホルダであって、前記張設部は、略逆Ｕ字状で、該略逆Ｕ字状の一端である折返端と他方の端部との間の開放部にデンタルフロスを張設し、前記開放部の上部である取付部にデンタルフロスを案内する外部案内溝を備え、前記ツマミ部は、前記張設部から延設された第一ツマミ部材と、前記第一ツマミ部材と開閉自在に連接された第二ツマミ部材と、からなり、前記第一ツマミ部材の前記第二ツマミ部材に対向する対向面は、デンタルフロスを案内する内部案内溝が複数の凹部とともに形成され、前記第二ツマミ部材の前記第一ツマミ部材に対向する対向面は、複数の凸部を有し、前記凹部と前記凸部とが嵌合してデンタルフロスを挟持せしめること、を特徴とするデンタルフロスホルダ。
【手続補正２】
【補正対象書類名】明細書
【補正対象項目名】０００８
【補正方法】変更
【補正の内容】
【０００８】
本発明は、上記課題に鑑み、張設部とツマミ部とからなるデンタルフロスホルダであって、前記張設部は、略逆Ｕ字状で、該略逆Ｕ字状の一端である折返端と他方の端部との間の開放部にデンタルフロスを張設し、前記開放部の上部である取付部にデンタルフロスを案内する外部案内溝を備え、前記ツマミ部は、前記張設部から延設された第一ツマミ部材と、前記第一ツマミ部材と開閉自在に連接された第二ツマミ部材と、からなり、前記第一ツマミ部材の前記第二ツマミ部材に対向する対向面は、デンタルフロスを案内する内部案内溝が複数の凹部とともに形成され、前記第二ツマミ部材の前記第一ツマミ部材に対向する対向面は、複数の凸部を有し、前記凹部と前記凸部とが嵌合してデンタルフロスを挟持せしめること、を特徴とするデンタルフロスホルダである。